(57)【要約】【課題】手の大きさや把持位置の変動に対応して把持する部位を調節することのできる釣竿を提供すること。【解決手段】強化繊維に合成樹脂を含浸させた繊維強化プリプレグを巻回して形成した竿杆８を内部に挿通し、魚釣用リールの取付脚部６を載置するリール脚載置面２６を一側に形成したリールシート本体１８を備え、このリールシート本体１８は、リール脚載置面２６の後方側に、魚釣用リールの取付脚部６の一端を保持する固定フード３０を有し、この固定フード３０の後方に、このリールシート本体１８に対して長手方向に移動可能な補助シート部材４２が設けられる釣竿１０。【選択図】図７
2007202454.tif 000002
【特許請求の範囲】
【請求項１】
強化繊維に合成樹脂を含浸させた繊維強化プリプレグを巻回して形成した竿杆を内部に挿通し、魚釣用リールの取付脚部を載置するリール脚載置面を一側に形成したリールシート本体を備え、このリールシート本体は、リール脚載置面の後方側に、前記魚釣用リールの取付脚部の一端を保持する固定フードを有し、この固定フードの後方に、このリールシート本体に対して長手方向に移動可能な補助シート部材が設けられることを特徴とする釣竿。
【請求項２】
強化繊維に合成樹脂を含浸させた繊維強化プリプレグを巻回して形成した竿杆を内部に挿通し、魚釣用リールの取付脚部を載置するリール脚載置面を一側に形成したリールシート本体を備え、このリールシート本体は、リール脚載置面の後方側に、前記魚釣用リールの取付脚部の一端を保持する固定フードを有しかつこの固定フードの後端部で終端しており、更に、この固定フードおよび前記リール脚載置面に対向する他側に装着され、前記固定フードの後方側に位置するリールシート本体の終端部を越えて後方に延設されるカバー部材を備え、このカバー部材の後方側に、このリールシート本体に対して長手方向に移動可能な補助シート部材が設けられることを特徴とする釣竿。
【請求項３】
前記補助シート部材は、前記カバー部材よりも硬質材料で形成されて前記リールシート本体に先端側が連結される連結部と、この連結部の後端側の外周部に装着された補助カバー部材とを有することを特徴とする請求項２に記載の釣竿。
【請求項４】
前記補助シート部材は、先端側が前記リールシート本体に螺合され、このリールシート本体に対して回動することにより長手方向に移動可能であることを特徴とする請求項１から３のいずれか１つに記載の釣竿。
【請求項５】
前記補助シート部材は、周方向に沿って外方に開口し、軸方向長さが２０ｍｍ以内の範囲で可変の窪み部を前記固定フード側に形成可能であることを特徴とする請求項１から４のいずれか1つに記載の釣竿。
【発明の詳細な説明】
【技術分野】
【０００１】
本発明は、釣竿に関し、特に、魚釣用リールの取付脚部を載置するリール脚載置面を一側に形成したリールシート本体を有する釣竿に関する。
【背景技術】
【０００２】
一般に、釣竿に魚釣用リールを取付けるリールシートは、リールの取付脚部を載置するリール脚載置面をリールシート本体に形成し、このリール脚載置面の長手方向に沿って対向配置した一対のフードにより、リールの取付脚部をこのリール脚載置面上に保持する。これらの一対のフードは、それぞれが取付脚部を受け入れる開口部を有し、かつ、一方がリール脚載置面に対して移動し、所要位置に固定可能な移動フードとして形成され、これらの一対のフード間に取付脚部を挟持させることにより、リールを釣竿に装着する。
【０００３】
このようなリールシートを備えた釣竿には、リールシートの前方と竿元とに固定グリップを設け、竿元に設けた固定グリップの上に弾性を有するパイプ状に形成された移動グリップを、長手方向に移動自在にかつ任意の位置に固定可能とし、キャスティング時、あるいはキャスティング後の釣竿操作の必要に応じて移動グリップを移動し、把持する部位あるいは脇に挟む部位の径を選択することにより、操作性を向上させることのできる釣竿が開発されている（例えば特許文献１参照）。
【特許文献１】特開２００１−１５７５３３
【発明の開示】
【発明が解決しようとする課題】
【０００４】
しかし、このような移動グリップは、釣竿上で移動して把持する部位の全体の径を変更させることが可能であるとしても、例えばリールシートを魚釣用リールと共に把持した手の掌あるいは指の当たる位置の径を変更するものではない。特に、手の大きさが異なる場合や同じグリップ上で把持位置を変更する場合等は、しっくりとした状態で把持することができない。
【０００５】
本発明は、このような事情に基づいてなされたもので、手の大きさや把持位置の変動に対応して把持する部位を調節することのできる釣竿を提供することを目的とする。
【課題を解決するための手段】
【０００６】
上記目的を達成する本発明の釣竿は、強化繊維に合成樹脂を含浸させた繊維強化プリプレグを巻回して形成した竿杆を内部に挿通し、魚釣用リールの取付脚部を載置するリール脚載置面を一側に形成したリールシート本体を備え、このリールシート本体は、リール脚載置面の後方側に、前記魚釣用リールの取付脚部の一端を保持する固定フードを有し、この固定フードの後方に、このリールシート本体に対して長手方向に移動可能な補助シート部材が設けられることを特徴とする。
【０００７】
更に、強化繊維に合成樹脂を含浸させた繊維強化プリプレグを巻回して形成した竿杆を内部に挿通し、魚釣用リールの取付脚部を載置するリール脚載置面を一側に形成したリールシート本体を備え、このリールシート本体は、リール脚載置面の後方側に、前記魚釣用リールの取付脚部の一端を保持する固定フードを有しかつこの固定フードの後端部で終端しており、更に、この固定フードおよび前記リール脚載置面に対向する他側に装着され、前記固定フードの後方側に位置するリールシート本体の終端部を超えて後方に延設されるカバー部材を備え、このカバー部材の後方側に、このリールシート本体に対して長手方向に移動可能な補助シート部材が設けられることを特徴とする釣竿が提供される。
【０００８】
前記補助シート部材は、カバー部材よりも硬質材料で形成されてリールシート本体に先端側が連結される連結部と、この連結部の後端側の外周部に装着された補助カバー部材とを有してもよい。
【０００９】
前記補助シート部材は、先端側が前記リールシート本体に螺合され、このリールシート本体に対して回動することにより長手方向に移動可能とすることができる。
【００１０】
前記補助シート部材は、周方向に沿って外方に開口し、軸方向長さが２０ｍｍ以内の範囲で可変の窪み部を前記固定フード側に形成可能であることが好ましい。
【発明の効果】
【００１１】
本発明の釣竿によると、リールシート本体に形成した固定フードの後方に配置した補助シート部材をこのリールシート本体に対して移動することにより、リールシート本体の長さを実質的に変更すると共に、リールシート本体と補助シート部材との間に外方に開口する窪み部を形成することができ、これにより、把持する手の大きさや把持位置が変動しても、窪み部に掌や小指等を当接させて確実に把持することができる。
【００１２】
また、リールシート本体にカバー部材を装着した釣竿は、手の大きさや把持位置が変動しても、リールシートを介して安定して把持することができることに加え、カバー部材をリールシート本体とは別の材料、例えば把持感がソフトで冷たくなく、しかも滑り難い材料で形成することにより、リールシート本体よりも曲げ剛性を小さくし、竿杆に作用する応力を軽減することができる。
【００１３】
補助シート部材のリールシート本体と連結される連結部が、カバー部材よりも硬質材料で形成される場合には、カバー部材の前部に、外方に開口する窪み部が形成されると共に、この窪み部の底部がカバー部材よりも硬質材料で形成される連結部で形成されることにより、しっかりと把持したときに、安定感が得られ、確実に把持することができる。
【００１４】
補助シート部材がリールシート本体に螺合される場合には、この補助シート部材の位置調節を極めて簡単に行うことができ、実釣の途中でも位置調節することで最適の魚釣操作を行うことができる。
【００１５】
補助シート部材が固定フード側に形成する窪み部の軸方向長さを２０ｍｍ以内の範囲で変更可能とすることにより、釣人の手に合わせて窪み部を調整し、操作し易い釣竿を形成することができる。
【発明を実施するための最良の形態】
【００１６】
図１から図３は、本発明の好ましい実施形態による釣竿１０の元側すなわち後方側を示す。  
この釣竿１０は、ルアーロッドとして形成され、強化繊維に合成樹脂を含浸させた繊維強化プリプレグを巻回して中空構造あるいは中実構造に形成される竿杆８の元側あるいは後方側に、魚釣用スピニングリール（図示しない）を取付けるためのリールシート１２と、このリールシート１２の後端側に配置されたグリップ１４とを備える。竿杆８は、リールシート１２の後端部に近接した位置で、例えば５ｍｍ〜１３ｍｍの範囲の種々の外径を有するものを用いることができる。また、リールシート１２の後方に設けられたグリップ１４は、握持する手で握り込んだときに、握持しやすい例えばエチレン酢酸ビニル樹脂（ＥＶＡ）等の軟質樹脂、コルク、発泡材、ゴム、エラストマー等の柔軟性を有する材料で形成するのが好ましい。本実施形態では、グリップ１４は、リールシート１２から後方に離隔した位置に配置してあり、このリールシート１２とグリップ１４との間には、竿杆８の外面を保護する保護スリーブ１６を配置してある。
【００１７】
本実施形態のリールシート１２は、中空管状構造のリールシート本体１８を備え、このリールシート本体１８の例えば前端側である軸方向の一端側に形成した図示しないねじ部に螺合されるナット部材２０により、後方に開口部を開口させた移動フード２２が軸方向に沿って移動自在に装着される。このリールシート本体１８の内部に挿通される竿杆８との間には、スペーサ部材２４が介挿されている。このスペーサ部材２４は、リールシート本体１８と同様な後述する構造用合成樹脂材料、金属材料あるいはＦＲＰや発泡材料等で形成するのが好ましい。これらの竿杆８とスペーサ部材２４とリールシート本体１８とは、例えば接着剤を用いて互いに強固な一体構造に固着される。
【００１８】
このようなスペーサ部材２４が、リールシート本体１８と同様な構造用合成樹脂材料で形成される場合は、リールシート本体１８と一体構造に形成してもよい。この場合には、部品点数が減少し、材料および組立コストを低減することができる。また、竿杆８との間に介挿されることにより、例えば発泡材料の場合、釣竿１０を軽量化することができると共に、リールシート本体１８の外形形状を釣人が把持し易い大きさおよび形状を維持した上で、上述のように例えばバス、シーバス等のルアーロッドとして、例えば５ｍｍの細い外径を有するものから１３ｍｍの比較的太い外径を有するものまで、種々の外径を有する釣竿に対応することができる。
【００１９】
本実施形態のリールシート本体１８は、構造用合成樹脂（例えばＡＢＳ、ポリアミド、ポリスチロール、ポリプロピレン、ポリカーボネート等）あるいは金属（例えばＳＵＳ、アルミニウム、チタン、真鍮等）等の適宜の材料から硬質の筒状構造に形成され、図では下側に示す一側に、魚釣用リールの取付脚部６（図7参照）を載置するリール脚載置面２６が形成されている。更に、このリールシート本体１８には、移動フード２２に向けて開口部２８を開口させた固定フード３０が一体的に設けられている。この固定フード３０の開口部２８は、移動フード２２の開口部とは逆に、後端側に向けて次第に高さが低くなり、この開口部２８から受入れた取付脚部６の足部６ａ（図５参照）の一端が内方に押圧されたときに、この取付脚部６を移動フード２２と共にリール脚載置面２６側に付勢する。本実施形態の固定フード３０は、リールシート本体１８と一体構造に形成してある。これに代え、金属又は硬質の合成樹脂でリールシート本体１８と別体構造に形成し、リールシート本体１８に強固に固定してもよい。金属で形成する場合には、取付脚部６の足部６ａに当接する部位に樹脂製部材を配置し、金属同士の接触による各部材の損傷を防止することが好ましい。
【００２０】
図２および図３に示すように、このリールシート本体１８は、リール脚載置面２６の後方側に配置した固定フード３０から更に後方側に延長部１８ａを延設してある。この延長部１８ａには、大径内孔部３２を形成してあり、上述のスペーサ部材２４を内部に密に嵌合した小径内孔部３４との間に形成される環状面３４ａおよびスペーサ部材２４の端面２４ａと共に、後方に開口する環状溝３８を竿杆８の外周面との間に区画する。また、この延長部１８ａの大径内孔部３２は、後方に開口した後端側の部位に、後述する補助シート部材の軸方向移動距離にわたって雌ネジ４０を形成し、この雌ネジ４０と環状面３４ａとの間は雌ネジを形成することなく滑らかな円筒状面に形成してある。
【００２１】
このリールシート本体１８の後方には、竿杆８上を長手方向に移動可能な補助シート部材４２が設けられている。この補助シート部材４２は、上述のスペーサ部材２４と同様なスペーサ部材４４と、このスペーサ部材４４の外周部に配置した操作体４６とを有する。この操作体４６の後端側には、リールシート本体１８の延長部１８ａの外径Ｄ１とほぼ等しい外径Ｄ２に形成された大径構造の円筒状部４８が配置され、前端側には、リールシート本体１８と竿杆８との間に形成された環状溝３８内を移動可能な小径構造の連結部５０が配置され、この連結部５０の先端側には、リールシート本体１８の延長部１８ａ内に形成した雌ネジ４０と螺合する雄ネジ５２が形成されている。特に、これらの外径Ｄ１，Ｄ２は、１８ｍｍ〜２５ｍｍの範囲に形成し、その差を±２％程度以内とすることにより、安定した状態で把持することができる。
【００２２】
操作体４６の内周側に配置されるスペーサ部材４４には、後方に開口する環状溝５４を竿杆８との間に形成してある。この環状溝５４は、リールシート１２とグリップ１４との間に配置した保護スリーブ１６の前端部を内部に受入れ、底壁４４ａに当接することにより、補助シート部材４２の後方移動を規制することができる。この環状溝５４は、図２に示すように、保護スリーブ１６の前端が環状溝５４の底壁４４ａに当接したときすなわち補助シート部材４２が最も後方位置に配置されたときに、円筒状部４８の前端面４９とリールシート本体１８の後端面１９との間にほぼ２０ｍｍ程度の軸方向長さを有する周溝状の窪み部５６を形成し、図３に示すように、円筒状部４８の前端面４９とリールシート本体１８の後端面１９とが当接して補助シート部材４２が最も前方位置に配置されたときに、保護スリーブ１６の先端が環状溝５４の後端部の開口を閉じ、竿杆８を露出しない軸方向長さを有することが好ましい。この窪み部５６の深さ、すなわち円筒状部４８と連結部５０との半径の差は、ほぼ１ｍｍ〜４ｍｍ程度にすることが好ましい。
【００２３】
この補助シート部材４２は、最も後方位置に配置されたときに、連結部５０の先端側外周面に形成される雄ネジ５２が、図２に示すように、リールシート本体１８の後端面１９に開口する環状溝３８内に位置し、外部に露出しないことが好ましい。この場合には、把持した手に雄ネジ５２が当接することがなく、雄ネジ５２との当接による痛みを防止することができる。また、補助シート部材４２が最も前方位置に配置されたときに、この雄ネジ５２は、図３に示すように、雌ネジ４０が形成されていない滑らかな円筒状面側に配置され、雌ネジ４０との螺合が解除されるのが好ましい。これにより、補助シート部材４２を回転しても軸方向に移動するのが阻止される。この際、上記雌ネジ４０が形成されていない滑らかな円筒状面の内面に補助シート部材４２の回転を抑える様な被膜又は介在部材を設けても良い。このリールシート本体１８と補助シート部材４２との間に形成される窪み部５６は、釣竿１０の周方向に沿って外方に開口しており、この窪み部５６を形成するリールシート本体１８の後端面１９と円筒状部４８の前端面４９とのそれぞれの把持する手が当たる外周縁部を面取りし、あるいは湾曲面を形成することが好ましい。
【００２４】
したがって、補助シート部材４２は、円筒状部４８を保持して回転するだけで、雄ネジ５２と雌ネジ４０との螺合状態を変更することにより、図２に示す後方位置と図３に示す前方位置との間で、軸方向長さが２０ｍｍ以内の範囲の窪み部５６を固定フード３０の後方に形成する。これにより、補助シート部材４２を回転するだけで、この補助シート部材４２の位置調節を極めて簡単に行うことができ、実釣の途中でも位置調節して最適な魚釣操作を行うことができる。また、補助シート部材４２の位置調節を行うことで、釣人の手に合わせて窪み部５６の幅すなわち軸方向長さを調整し、操作し易い釣竿を形成することができる。
【００２５】
上述の実施形態による釣竿１０では、補助シート部材４２をリールシート本体１８に対して移動することにより、リールシート本体１８の長さを実質的に変更すると共に、リールシート本体１８と補助シート部材４２との間に外方に開口する窪み部５６を形成することができ、これにより、把持する手の大きさや把持位置が変動しても、窪み部５６に掌や小指等を当接させて確実に把持することができる。この補助シート部材４２の移動は、釣竿１０上でこの補助シート部材４２自体を回転することにより容易に行うことができるため、実釣中であっても、極めて簡単かつ容易に行うことが可能となる。
【００２６】
なお、上述の実施形態では、補助シート部材４２の操作体４６とスペーサ部材４４とを別部材としたが、スペーサ部材４４を操作体４６と一体に形成してもよく、また、この操作体をリールシート本体１８と同様な材料で形成してもよい。
【００２７】
図４から図７は、他の実施形態による釣竿１０の元側を示す。なお、本実施形態においても、基本的には上述の実施形態と同様であるため、同様な部位には同様な符号を付し、詳細な説明を省略する。
【００２８】
本実施形態のリールシート本体１８は、固定フード３０の後端部で終端しており、上述の実施形態における延長部１８ａに代えてリング状部材５８が設けられ、このリング状部材５８の内周部に雌ネジ４０が形成されている。また、リール脚載置面２６に対向する側は薄肉構造に形成され、後端側の端面には、断面楔状の切込み部３１が形成され、この切込み部３１内にリング状部材５８の前端部の一部が収容される。このようにリールシート本体１８の一側に形成された固定フード３０およびリール脚載置面２６に対向する他側、および固定フード３０の後方側に位置するリールシート本体１８の後端面１９よりも後方のリング状部材５８上に、カバー部材６０が設けられている。
【００２９】
このカバー部材６０は、リールシート本体１８を形成する上述の硬質材料とは別材料、例えば把持感がソフトで冷たくなく、しかも滑り難い材料で形成してある。このようなカバー部材６０を形成する材料は、例えばゴム、エラストマー、ＥＶＡ等の柔軟な材料であることが好ましい。
【００３０】
本実施形態のリールシート１２Ａは、スペーサ部材２４の後端側が小径部２５として形成され、リング状部材５８を超えて後方に延びる。この小径部２５は、端面２４ａと、リールシート本体１８およびリング状部材５８の内周面と共に、後方に開口して後述する補助シート部材４２の連結部を受入れる環状溝３８を形成する。更に、このスペーサ部材２４の小径部２５は、リング状部材５８を超えて、補助シート部材４２に向けて後方に延びる。
【００３１】
リールシート本体１８の後方に配置される補助シート部材４２は、スペーサ部材２４の小径部２５上に装着されるスペーサ部材４４と、このスペーサ部材４４の後端側に一体的に固定された円筒状の操作体４６とを有し、この操作体４６の後端に固定板６２が取付けられている。このスペーサ部材４４の操作体４６から前方に突出する突出部は、リング状部材５８に形成した雌ネジ４０に螺合する雄ネジ５２を先端側に設けてあり、リールシート本体１８に対する連結部として環状溝３８内に収容される。また、円筒状の操作体４６は、リールシート本体１８に設けたカバー部材６０と同じ材料で形成してあり、把持したときに、カバー部材６０と同様な機能を発揮する補助カバー部材として形成される。
【００３２】
なお、スペーサ部材２４の小径部２５は補助シート部材４２を貫通して延びるものではないが、補助シート部材４２の固定板６２を貫通して、例えば保護スリーブ１６に当接するまで延長してもよく。逆に、保護スリーブ１６を補助シート部材４２内あるいはリールシート本体１８内にまで延設することも可能である。
【００３３】
この実施形態によるリールシート１２Ａも、図４および図５に示すように、補助シート部材４２を、固定フード３０の後方に窪み部５６を形成する位置と、図６に示すように窪み部５６の無い位置とに配置することができ、窪み部５６の幅すなわち軸方向長さもほぼ２０ｍｍ以内の範囲で自由に設定することができる。
【００３４】
特に、本実施形態のように、リールシート本体１８にカバー部材６０を装着した釣竿１０は、手の大きさや把持位置が変動しても、リールシート１２Ａを介して安定して把持することができることに加え、カバー部材６０をリールシート本体１８とは別の材料、例えば把持感がソフトで冷たくなく、しかも滑り難い材料で形成することにより、リールシート本体１８よりも曲げ剛性を小さくし、竿杆８に作用する応力を軽減することができる。
【００３５】
図７に示すように、固定フード３０の後方に窪み部５６を形成した状態でこのリールシート１２Ａを把持するときに、魚釣用リールの取付脚部６を把持する手の中指と薬指とで挟んだ状態で握りこむと、掌のほぼ中央部がカバー部材６０に接触し、小指側の手首側部位（掌根）が窪み部５６に食込むように当接する。一方、取付脚部６を薬指と小指又は人差し指と中指との間に挟み込んで把持すると、より手首に近い部位あるいは小指に近い部位が窪み部５６に当接する。このとき、補助シート部材４２を竿杆８に沿って移動することにより、補助シート部材４２の前縁部の位置および窪み部５６の寸法が変化し、したがって、手の大きさや把持位置が変動した場合でも、この窪み部５６に掌や小指等の適宜部位を当接させることができ、確実に把持することができる。
【００３６】
また、固定フード３０よりも後方側に、柔軟な材料で形成されたカバー部材６０および補助カバー部材である操作体４６が設けられていることにより、リールシート１２Ａを強く握りこんでも、これらのカバー部材６０および操作体４６が変形し、竿杆８に大きな応力を作用させない。また、リールシート１２Ａ自体が、特に窪み部５６の近部で柔軟性を有するため、竿杆８に応力集中が発生し難い。
【００３７】
更に、これらのカバー部材６０および操作体４６が強く握り込まれた場合でも、カバー部材６０よりも硬質な材料で形成されたスペーサ部材４４が、連結部あるいは窪み部５６の底壁部として配置されていることにより、例えば釣竿１０を立てた状態で魚とやり取りする等の強い力で握ったときでも、握持する手が前後方向あるいは上下方向にずれるのを防止して、安定感を付与し、確実に把持することができる。  
更に、このような窪み部５６が不要な場合には、補助シート部材４２を前方に移動して、図６に示すように窪み部５６の無い状態とすることができる。
【００３８】
なお、上述の各実施形態では、補助シート部材４２をリールシート本体１８に直接あるいはリング状部材５８を介して螺合することにより連結したが、これに代え、例えばキー溝と板バネとの組合せにより、補助シート部材４２の回転を抑えて前後動するようにしてもよい。
【図面の簡単な説明】
【００３９】
【図１】本発明の好ましい実施形態による釣竿の元部側の一部を断面とした説明図。
【図２】図１に示す釣竿のリールシートの内部構造を示す拡大断面図。
【図３】リールシートの窪み部を無くした状態を示す図２と同様な断面図。
【図４】他の実施形態による釣竿の元部側の一部を断面とした図１と同様な説明図。
【図５】図４に示す釣竿のリールシートの内部構造を示す拡大断面図。
【図６】リールシートの窪み部を無くした状態を示す図５と同様な断面図。
【図７】図４に示すリールシートを把持した状態の説明図。
【符号の説明】
【００４０】
６…取付脚部、８…竿杆、１０…釣竿、１２，１２Ａ…リールシート、１８…リールシート本体、２６…リール脚載置面、３０…固定フード、４２…補助シート部材、６０…カバー部材。
【図１】
2007202454.tif 000003
【図２】
2007202454.tif 000004
【図３】
2007202454.tif 000005
【図４】
2007202454.tif 000006
【図５】
2007202454.tif 000007
【図６】
2007202454.tif 000008
【図７】
2007202454.tif 000009